(57)【特許請求の範囲】
【請求項１】
数字キーを含む操作手段から信号を入力する入力部と、
放送又は通信により番組ガイド情報を受信する受信部と、
前記数字キーからの入力信号によって、チャンネル番号の最大桁が一致するチャンネルのうちチャンネル数字が最小のチャンネル以降のチャンネルの番組ガイド情報を表示し、
所定時間以内に次の数字キーを入力すると、チャンネル番号の最大桁より１つ下の桁数が、入力された数字と一致するチャンネルの番組ガイド情報を表示する表示部を設けることを特徴とする受信装置。
【請求項２】
放送に付加された番組ガイド情報、もしくは、通信により受信した番組ガイド情報を表示する受信装置において、
コントローラの数字キーからの入力によってチャンネル番号の最大桁が一致するチャンネルのうちチャンネル数字が最小のチャンネル以降のチャンネルの番組表を表示し、一定時間以内に次の数字キーを入力すると、次の桁数が入力された数字と一致するチャンネルの番組ガイド情報を表示することを特徴とする受信装置。
【請求項３】
数字キーを含む操作手段から数字情報を入力する入力部と、
放送又は通信によりチャンネル番号、番組及びその番組時間に関する番組ガイド情報を受信する受信部と、
前記チャンネル番号がn桁（ｎは２以上）からなっており、
前記入力部からの第１の数字情報が入力され、前記第１の数字情報とチャンネル番号のｎ桁目の数字とが一致する場合に、チャンネル番号のn桁目が前記第１の数字情報と一致するチャンネル番号のうち最小の数を示すチャンネル以降のチャンネルの番組ガイド情報を表示し、
その後所定時間以内に、前記入力部から第２の数字情報が入力され、前記第２の数字情報とチャンネル番号のn-1桁目の数字とが一致する場合に、前記第２の数字情報とチャンネル番号のn-1桁目の数字とが一致するチャンネルの番組ガイド情報を表示するように制御する制御部を備えることを特徴とする受信装置。
【発明の詳細な説明】
【０００１】
【発明の属する技術分野】
本発明は、番組情報を表示する受信装置に関する。
【０００２】
【従来の技術】
近年、衛星を用いたデジタル放送などにおいて、番組ガイド等の情報が送られてくるようになり、番組ガイド情報を画面上に表示する受信機等がある。送られてくる番組ガイド情報は、各番組のタイトル、詳細情報、放送時間、チャンネル、番組カテゴリー（映画、スポーツ、ドラマ、等）の情報よりなり、画面上の番組ガイドの表示は、時間軸と放送局の軸による表形式や、番組カテゴリー別のリスト表示形式等の形で表示される。
【０００３】
また、画面上での表示の場合、表示器の解像度や、視距離等の関係上、ある程度の文字サイズが必要であり、従って表示できる情報量も限られてくることになる。
【０００４】
【発明が解決しようとする課題】
チャンネル軸を持つ表形式にて表示される番組表において、その表示するチャンネル群を切り替える操作が、画面上のメニュー選択操作や、コントローラのキーの複数操作等、操作が煩雑であるという課題がある。
【００１２】
そこで、本発明の目的は、番組ガイド情報の容易に把握することにある。
【００１３】
【課題を解決するための手段】
上記課題を解決するため、例えば、特許請求の範囲に開示された技術的思想を用いればよい。
【００１６】
【発明の実施の形態】
以下、本発明の実施形態を図面を用いて説明する。
【００１７】
図１は、本発明による実施例を示すブロック図で、１０１は信号入力端子、１０２は信号分離部、１０３は画像処理部、１０４は画像再生部、１０５は画像加工部、１０６は画像合成部、１０７は信号出力端子、１０８は情報処理部、１０９はデータ抽出部、１１０はデータ記憶部、１１１は表示データ作成部、１１２は中央処理部、１１３は外部制御入力部である。
【００１８】
次に、回路動作を説明する。
【００１９】
まず、信号入力端子１０１に入力された信号は、信号分離部１０２に入力される。信号分離部１０２は入力された信号から画像情報とデータ情報を分離して出力し、画像情報は画像処理部１０３へ、データ情報は情報処理部１０８に入力される。
【００２０】
画像処理部１０３は、入力された画像信号を画面に表示できるように処理、加工して出力する。
【００２１】
例えば、画像処理部１０３は画像再生部１０４と画像加工部１０５とから構成し、画像再生部１０４でエンコードされた画像情報を元の画像に再生する。再生された画像は画像加工部１０５に入力され、画像の明るさ、コントラスト、輪郭補正の処理や、画像の縮小、拡大が行われ、画像合成部１０６に入力される。
【００２２】
情報処理部は１０８は、信号分離部１０２で分離されたデータ情報から番組ガイド画像を作成して出力する。
【００２３】
例えば、情報処理部１０８はデータ抽出部１０９、データ記憶部１１０、表示データ作成部１１１とから構成する。データ抽出部１０９は、信号分離部１０２から出力されたデータ情報から番組情報を抽出、デコードして、データ記憶部１１０に出力する。データ記憶部１１０は、入力された番組情報を蓄積する。蓄積された番組情報は、番組ガイド画像を構成する時、表示データ作成部１１１に出力される。表示データ作成部１１１は、データ記憶部１１０から出力された番組ガイド情報から番組ガイド画像を作成して、出力する。出力された番組ガイド画像は画像合成部１０６に入力される。
【００２４】
画像合成部１０６は、入力された画像信号と番組ガイド画像を１つの画像に合成して出力する。出力された画像は信号出力端子１０７から出力され、図示しない表示部で画面に表示される。
【００２５】
ここで、中央処理部１１２は、外部制御入力部１１３から入力された視聴者が操作するリモコンなどの指令に応じて、画像処理部１０３と情報処理部１０８の制御を行う。例えば、画像処理部１０３に対しては、画像の表示サイズや画質補正の制御を行う。また、情報処理部１０８に対しては、番組ガイドデータの蓄積の制御、編集、検索、さらに表示形態の制御或いは処理を行う。
【００２６】
同図において、図示しないアンテナで受信された地上波放送や、ＣＳ、ＢＳなどの衛星放送、さらには通信が、信号分離装置に供給され、番組ガイド情報が、データ記録部に蓄積される。
【００２７】
この番組ガイド情報は、情報デコーダに供給され、この番組ガイド情報に含まれる各番組毎にその放送日時、番組タイトル、番組情報、番組カテゴリーなどが解釈され、個々の番組ガイド情報としてバッファに格納される。
【００２８】
番組ガイドを表示するコマンドを図４に示すリモコンから受信すると、時計装置とに比較により、現在放送中以降の番組を、あるフォーマットに従い画面上に表示される。
【００２９】
図５の画面１は、横軸が時間、縦軸が放送局、表示する時間帯は２時間、として表示した例である。
【００３０】
ここで、表示できる文字数の関係上、番組によっては番組タイトルの全情報が表示されず、通常、番組タイトルの先頭の文字から、表示できる文字数までが表示されることとなる。
【００３１】
また、画面１において、ユーザーがある特定カテゴリー等の番組を探そうとする場合、テキストを読むことにより、そのカテゴリー等を理解しなくてはいけない。
【００３２】
そこで、図１に示す表示データ作成部１１１において、データ記憶部に蓄積された番組データ内の各番組データ付加されているカテゴリーコード（例えば、スポーツ、映画、、等の番組のカテゴリーコード）を判断することによって番組のカテゴリーを判断し、番組内容データを加工して出力する。
【００３３】
データ記憶部１１０からの番組データの処理を図２を用いて説明する。
【００３４】
１２１において、データ記憶部１１０から入力された各番組データの番組カテゴリーを判断し（１２１）、特定カテゴリーに合致した場合（本例の場合は、カテゴリーが、映画、スポーツ、音楽の場合）番組データを加工し（１２２）、番組データを出力する（１２３）。
【００３５】
加工の例としては、図１に示すメモリー（１２４）内に保有している各カテゴリーに関するアイコン等の画像データを、表示データ作成部１１１において、番組カテゴリーに合致する番組データに付加して表示する。
【００３６】
あるいは、番組カテゴリー別に、該当番組の表示する文字色を分けて表示する。
【００３７】
選択されている番組に対する表示を、選択されている番組の背景色を他の番組と異なる色を用いて示すものがあるが、背景色を番組カテゴリー別に色分けすると、選択した番組の視認性が低下するが、文字色の色分けは、当該問題が生じにくい。
【００３８】
図６は、認識した番組カテゴリー別に各々カテゴリーを表現するアイコン画像３０１、３０２、３０３を付加して表示した例である。このようなアイコン等の画像情報の付加により、ユーザーは番組カテゴリーの認識が容易になる。
【００３９】
図７は、認識した番組カテゴリー別に表示する文字色を変えて表示する（３０４、３０５、３０６、３０７）ことにより、番組カテゴリーの認識を容易にした表示した例である。
【００４０】
図８は、番組表を表示したときに、３０８の番組タイトルは全て表示されており、３０９の番組タイトルは表示しきれず、内容を把握しにくい例である。
【００４１】
そこで、図１に示す情報処理部１０８において、番組タイトルが所定の領域に入りきらない場合は、所定のテキストデータをアイコンに変えて、図９.３１１のように表示することにより、番組内容をより把握することができるようにする。変換するテキストとアイコンの関連付けデータは図１に示すメモリー１１４内に予め記憶している。
【００４２】
また、画面１のように、画面に番組ガイドを表示した場合、どの番組が現在放送中の番組かどうか一目で認識しづらい。とくに、先の時間の番組ガイドを表示する等、時間帯を変更して表示した場合に、現在放送中の番組かどうかがわかりにくくなってくる。
【００４３】
そこで、図１におけるデータ記憶部１１０に蓄積された番組データにおいて、各番組の開始時刻と終了時刻のデータと、時計装置１１５による現在時刻情報とを比較することにより現在放送中の番組かどうかを判断し、番組が現在放送中の番組であると判断される場合には、表示データ作成部１１１において、番組データを加工して表示する。
【００４４】
図１０の画面６は、現在放送中の番組を他の番組とは異なる背景色を用いて表示した例である。
【００４５】
図１１の画面７は、現在放送中の番組を他の番組とは異なる文字色、又は文字の太さを用いて表示した例である。
【００４６】
図１２の画面８は、現在時刻にあたる部分に時間軸と垂直方向の線表示３０８を行うことにより、現在放送中の番組を認識しやすくする例である。
【００４７】
図１３の画面９は、帯状の時間帯表示エリア内の現在時刻にあたる部分に、現在時刻を示す▼表示３０９を付加した例である。
【００４８】
画面１３の表示を実現する一実施例を次に示す。
【００４９】
図１４は、図１３の３１５部周辺を拡大した図である。この図のように１時間ぶんの時間帯は、２０個のキャラクタデータにより構成される。つまり、キャラクタ１個は３分ぶんの幅を持つことになる。
【００５０】
図１の制御入力部１１３において、番組表の表示指示を受けると、時計装置より現在時刻を認識し、情報処理部において現在時刻の時刻が現れる形で表示データを作成しする。
【００５１】
このとき、時計装置１１５により得た現在時刻情報により、図１４に示す２０個のキャラクタのうち、いずれを▼の表示のあるキャラクタを用いるかを表示データ作成部にて判断する。
【００５２】
図１４の例では、現在時刻がＰＭ８：１６であり、キャラクタ１個分は３分ぶんと幅を持つことにしたので、左から５個目のキャラクタを▼の表示のあるキャラクタをメモリー１１４より抽出して表示データを作成する。
【００５３】
このようにして、図１３のように、時間幅に対して、現在時刻を表す表示が適切な位置に表示されることになり、番組タイトル上部に表示される▼を認識することにより、現在放送中の番組の把握、及び、それらの番組の残りの放送時間の把握が容易になる。
【００５４】
図１５の画面１０は、現在放送中の番組の放送残り時間にあたる部分に、帯状の表示３１１を加えることにより、その番組の残り時間があとどれ位あるかを認識しやすいようにした例である。
【００５５】
図１６は、現在放送中の番組をカーソルが選択状態にあるときに、選択された番組の文字を点滅して表示表示することにより、カーソルで選択した番組が現在放送中の番組であるかどうかを認識しやすくした例である。
【００５６】
図１６に示す画面１１は、図１の外部制御部１１３の指示により、表示データ作成部１１１にて、表示する時間帯を３時間へ変更して表示した例を示す。
【００５７】
表示時間帯を広くした場合には、１番組に割り当てられる表示エリアが狭くなり、１番組あたりに表示できる文字数が減少する。そこで、図１７では、表示する文字のサイズを小さくして、表示時間幅を広くしても、１番組あたりの文字数が少なくならないようにした例を示す。
【００５８】
これは、図１のメモリー１１４内にある別の小さいサイズのテキストフォントに変更して表示する。
【００５９】
表示する番組ガイドの時間幅や、文字サイズをユーザーは、コントローラのボタン、もしくは、画面上の選択操作により変更可能とすることにより、番組の時間長、ユーザーの視距離、ユーザーの視力等に適した表示を行うことができるようになる。
【００６０】
図１８〜図２０で、番組ガイドの中から、ユーザーが自分の興味のある番組を指定して、番組ガイドを表示した際に、それらの番組が目立つようにする例を説明する。
【００６１】
図１８は、興味のある番組を指定する操作手順の例である。
【００６２】
まず、番組表（画面１３）を表示した状態で、リモートコントローラのカーソルボタンを用いて（図４．２０４）、自分の興味のある番組にカーソルを移動させる。
【００６３】
次に、その状態において、リモートコントローラの決定ボタン２０９を押すと、その番組の詳細情報と、番組チェックの設定ボックスが表示される。（画面１５.３１５）
ここで、番組チェックのボックスをリモコンのカーソルボタン２０４で選択して、決定ボタン２０９を押すことにより、指定操作が完了する。（画面１６）
この指定操作により、図１のメモリー１１４に設定された番組データが蓄積され、該当番組を表示する際に、表示データ作成部１１１にて表示を加工して表示する。
【００６４】
図１９は、該当番組の背景色３１６を非該当番組と異なる色にて表示した例である。
【００６５】
図２０は、該当番組の文字色３１７を非該当番組と異なる色にて表示した例である。
【００６６】
図２１の画面１９は、番組に対して録画予約や、印を付ける等の設定がされている場合に、時間帯を示す表示エリア内に、設定がされている時間帯であることを示す表示を行う例である。
【００６７】
この実施例を次に示す。
【００６８】
前述した方法により、特定番組に対して設定操作を行い、設定が行われると図１に示すメモリー１１４に、設定がなされた時間帯が記憶される。
【００６９】
情報処理部１０８にて、番組ガイドの表示データを作成するとき、表示する時間帯と、メモリー１１４内に蓄積されている設定がなされている時間帯のデータとを比較し、表示する番組ガイドの時間帯と、設定がなされている時間帯が一致する場合には、下記の処理を行う
まず、時間帯の部分の表示は、図２２に示すように、１時間当たり２０個のキャラクタにより構成され、１キャラクタが本例の場合３分ぶんを表現することとなる。
【００７０】
図１のメモリー１１４に蓄積された設定時間データにより、表示データ作成部１１１において、番組ガイドの時間帯部を表現するキャラクタは、メモリー１１４にあらかじめ保持している特定のキャラクタを用いる。設定された時間帯を表現するキャラクタを図２３に示す。
【００７１】
上記処理により、例えばPM9:00からPM9:20の番組を予約等の設定を行っている場合は、PM9:00からPM9:59を示す時間帯を、図２２に示すように、左から６個のキャラクタを所定のキャラクタを用いて表示する。
【００７２】
図２１の例では設定がなされている番組も同時に画面に表示されているが、例えば、ＣＨ７以降のチャンネルの番組がある設定がなされている場合、設定されている番組が画面内に表示されていない場合にも、時間帯の部分に本表示がされるものとする。
【００７３】
これにより、ある設定がなされた時間帯を容易に認識することができるようになる。
【００７４】
次に、番組表で表示されるチャンネル群を簡易に切替える実施例を説明する。
【００７５】
番組ガイドが表示されている状態を図２４.画面２０に示す。
【００７６】
このとき、ＣＨ２００以降のチャンネルの番組ガイドに切り替えるには、図４に示すコントローラの数字キー内の「２」ボタンを押す。
【００７７】
このとき、図１に示す制御入力部１１３で、制御信号を検知し、情報処理部１０８にて、図２５.画面２１に示すようなコントローラの入力を確認できる表示を行い、すぐに図２６.画面２２に示すように、チャンネルの数字の100の位が２で、もっとも番号の少ないチャンネル以降、つまり、ＣＨ２００以降のチャンネルの表示に切り替える。
【００７８】
ユーザーがCH200以降の番組表を見たいときには、上記のようにボタンを１回押すだけで切替えることができることになる。
【００７９】
次に、一定時間以内にコントローラの「５」が入力されると、チャンネル番号の10の位が５であるチャンネルのうち、もっとも番号の少ないチャンネル以降、つまり、図２７.画面２３に示すようにCH250以降のチャンネルの表示に切り替える。
【００８０】
さらに、一定時間以内にコントローラの「８」が入力されると、チャンネル番号の1の位が８であるチャンネル、つまり、図２８.画面２４に示すようにCH２５８以降のチャンネルの表示に切り替える。
【００８１】
このとき、ＣＨ２５８が存在しない場合は、存在するチャンネルののうち２５８よりも一つ番号の若いチャンネルから表示する。
【００８２】
本例は、すべてのチャンネルが、同じ桁数の数字で指定されるときに可能となる。
【００８３】
これにより、番組ガイドで表示するチャンネルの切替えが、非常に容易となる。
【００８４】
【発明の効果】
以上説明したように、本発明によれば、番組情報の切り換え操作を容易にすることができる。
【図面の簡単な説明】
【図１】本発明の受信装置の回路の一部を示すブロック図。
【図２】番組カテゴリーの情報による表示処理の説明図。
【図３】番組の放送時間による表示処理の説明図。
【図４】本発明の受信装置に使用されるリモコンの操作ボタンを示す説明図。
【図５】現状の番組ガイドの表示例。
【図６】特定の番組カテゴリーの番組データに画像情報を付加して表示した説明図。
【図７】特定の番組カテゴリー番組データの文字色を変更して表示した説明図。
【図８】特定領域に番組タイトルが全て表示されているものとされていないものがある説明図。
【図９】特定領域に番組タイトルが全て表示されていないものが、特定のアイコンに変換して表示した説明図。
【図１０】現在放送中の番組の番組データを他の部分と異なる背景色にて表示する例を示す説明図。
【図１１】現在放送中の番組の番組データの文字色、または文字の太さを他の部分と異なる背景色にて表示した例を示す説明図。
【図１２】現在時刻にあたる部分に、線表示を加えて表示した例を示す説明図。
【図１３】現在時刻にあたる部分に、画像を加えて表示した例を示す説明図。
【図１４】時間帯の部分の表示の仕方の例を示す説明図。
【図１５】現在放送中の番組の残りの放送時間部分に画像を加えて表示した例を示す説明図。
【図１６】時間帯を３時間ぶんに広げて表示した例を示す説明図。
【図１７】小さな文字サイズの文字を使用して表示した例を示す説明図。
【図１８】特定の番組に特定のの設定を行う操作例を示す説明図。
【図１９】特定の設定が行われた番組が、他の番組と異なる背景色で表示された例を示す説明図。
【図２０】特定の設定が行われた番組が、他の番組と異なる文字色で表示された例を示す説明図。
【図２１】時間帯の部分に、特定の設定がされている時間帯であることを示す表示を行う例を示す説明図。
【図２２】時間帯の部分の表示の仕方の例を示す説明図。
【図２３】時間帯の部分の表示に使用するキャラクタの例を示す説明図。
【図２４】番組表で表示されるチャンネル群を切り替える実施例の説明図。
【図２５】番組表で表示されるチャンネル群を切り替える実施例の説明図。
【図２６】番組表で表示されるチャンネル群を切り替える実施例の説明図。
【図２７】番組表で表示されるチャンネル群を切り替える実施例の説明図。
【図２８】番組表で表示されるチャンネル群を切り替える実施例の説明図。
【符号の説明】
１０２：信号分離部、１０３：画像再生部、１０４：画像処理部、１０５：画像加工部、
１０６：画像合成部、１０８：情報処理部、１０９：データ抽出部、１１０：データ記憶部、１１１：表示データ作成部、１１４：メモリ、１１５：時計装置、１１２：中央処理部、
１１３：制御入力部、１１６：制御出力部。
【図１】
0003965239.tif 000002
【図２】
0003965239.tif 000003
【図３】
0003965239.tif 000004
【図４】
0003965239.tif 000005
【図５】
0003965239.tif 000006
【図６】
0003965239.tif 000007
【図７】
0003965239.tif 000008
【図８】
0003965239.tif 000009
【図９】
0003965239.tif 000010
【図１０】
0003965239.tif 000011
【図１１】
0003965239.tif 000012
【図１２】
0003965239.tif 000013
【図１３】
0003965239.tif 000014
【図１４】
0003965239.tif 000015
【図１５】
0003965239.tif 000016
【図１６】
0003965239.tif 000017
【図１７】
0003965239.tif 000018
【図１８】
0003965239.tif 000019
【図１９】
0003965239.tif 000020
【図２０】
0003965239.tif 000021
【図２１】
0003965239.tif 000022
【図２２】
0003965239.tif 000023
【図２３】
0003965239.tif 000024
【図２４】
0003965239.tif 000025
【図２５】
0003965239.tif 000026
【図２６】
0003965239.tif 000027
【図２７】
0003965239.tif 000028
【図２８】
0003965239.tif 000029